(57)【特許請求の範囲】
【請求項１】
通帳への記帳を伴う取引が選択されると、特典情報の印字対象の通帳であるときに、当該取引装置が特典情報の取得要求を行い、サーバから通帳記帳情報の応答と共に、前記特典情報を取得する通帳記帳情報取得手段と、
前記通帳記帳情報取得手段により取得された前記通帳記帳情報に基づいて、挿入されている通帳に印字を行う通帳記帳手段と、
前記通帳記帳手段により前記挿入されている通帳の記帳可能箇所が終了し、新規通帳へ通帳繰越を行う場合、前記通帳記帳手段に対して、前記サーバから前記通帳記帳情報と共に取得した前記特典情報を、繰越前の通帳に印字させる記帳制御手段と、
前記新規通帳への通帳繰越を行う場合に、前記繰越前の通帳に前記特典情報を印字する旨を示す表示画面を表示部に表示する表示制御手段と
を備えることを特徴とする取引装置。
【請求項２】
前記特典情報を印字する旨を示す表示画面は、前記特典情報の印字を実行するか否かの確認を要求する確認ボタンを有することを特徴とする請求項１に記載の取引装置。
【請求項３】
通帳への記帳を伴う取引が選択されると、特典情報の印字対象の通帳であるときに、当該取引装置が特典情報の取得要求を行い、サーバから通帳記帳情報の応答と共に、前記特典情報を取得する通帳記帳情報取得手段と、
前記通帳記帳情報取得手段により取得された前記通帳記帳情報に基づいて、挿入されている通帳に印字を行う通帳記帳手段と、
前記通帳記帳手段により前記挿入されている通帳の記帳可能箇所が終了し、新規通帳へ通帳繰越を行う場合であって、特典情報の印字対象の通帳であるときに、前記通帳記帳手段に対して、前記サーバから前記通帳記帳情報と共に取得した特典情報を、繰越前の通帳に印字させる記帳制御手段と
を備えることを特徴とする取引装置。
【請求項４】
前記通帳記帳手段が、前記サーバから取得した、前記特典情報を印字させる印字指示情報に基づいて、前記繰越前の通帳をページめくりして、前記特典情報を印字するものであり、
前記記帳制御手段は、新規通帳へ通帳繰越を行わない場合、前記通帳記帳情報と共に取得した前記特典情報を通帳に印字させない
ことを特徴とする請求項１〜３のいずれかに記載の取引装置。
【請求項５】
前記通帳は、前記特典情報を印字するページに、予めページ確認情報が付与されており、
前記記帳制御手段が、前記ページ確認情報を読み取り、前記特典情報を印字させるページであることを確認するものである
ことを特徴とする請求項１〜４のいずれかに記載の取引装置。
【請求項６】
前記通帳記帳手段が、前記繰越前の通帳に前記特典情報を印字した後に、新規通帳の発行を行うものであることを特徴とする請求項１〜５のいずれかに記載の取引装置。
【請求項７】
前記記帳制御手段が、前記通帳記帳の終了後に、少なくとも、前記繰越前の通帳への印字結果を前記サーバに送信するものであることを特徴とする請求項１〜６のいずれかに記載の取引装置。
【発明の詳細な説明】
【技術分野】
【０００１】
本発明は、取引装置に関し、例えば、現金自動預け払い機（ＡＴＭ：Automatic  Teller  Machine）を用いて金融取引を行なう取引装置に適用し得るものである。
【背景技術】
【０００２】
特許文献１には、金融機関で用いられているＡＴＭ等を利用する際に、ホストコンピュータが抽選を行う金融機関のオンラインシステムを用いたサービス方法が記載されている。また、特許文献１の記載技術は、ホストコンピュータが行った抽選結果を画面表示したり、又はレシート等の媒体に抽選結果を印字したりしている。
【０００３】
ところで、金融機関のＡＴＭが通帳記帳を行う際、現在の通帳の記入欄が終了したときには、ＡＴＭは新規の通帳を発行すると共に、それまで使用していた通帳を返却している。
【先行技術文献】
【特許文献】
【０００４】
【特許文献１】特開平８−２０２７８３号公報
【発明の概要】
【発明が解決しようとする課題】
【０００５】
しかしながら、ＡＴＭが新規通帳を発行する際、それまでに利用した古い通帳を返却しても、顧客が古い通帳の受け取りをしなかったり又は通帳の取り忘れをしたりする等の問題がある。
【０００６】
本来、通帳は金融取引の内容を記した重要な媒体である。また通帳は数多くの個人情報も記されている媒体である。そのため、セキュリティの観点から、新規通帳を発行するときには、顧客にそれまでに利用していた古い通帳を持って帰ってもらい厳密な管理をしていただくことが望まれる。
【０００７】
また、従来、表示画面やレシート等に抽選結果を印字する技術はあるが、画面表示の場合、顧客が自動取引装置を利用する利用時間が長くなり、顧客の待ち時間が長期化してしまう。また、レシート等の紙に印字する場合、レシートは感熱紙となるため長期保管に向かない。
【０００８】
そのため、返却される通帳を有効に活用して、顧客が通帳を持って帰る頻度を向上させることができる取引装置が求められている。
【課題を解決するための手段】
【００１０】
かかる課題を解決するために、第１の本発明は、通帳への記帳を伴う取引が選択されると、特典情報の印字対象の通帳であるときに、当該取引装置が特典情報の取得要求を行い、サーバから通帳記帳情報の応答と共に、特典情報を取得する通帳記帳情報取得手段と、通帳記帳情報取得手段により取得された通帳記帳情報に基づいて、挿入されている通帳に印字を行う通帳記帳手段と、通帳記帳手段により挿入されている通帳の記帳可能箇所が終了し、新規通帳へ通帳繰越を行う場合、通帳記帳手段に対して、サーバから通帳記帳情報と共に取得した特典情報を、繰越前の通帳に印字させる記帳制御手段と、新規通帳への通帳繰越を行う場合に、繰越前の通帳に特定情報を印字する旨を示す表示画面を表示部に表示する表示制御手段とを備えることを特徴とする取引装置である。
【００１１】
第２の本発明は、（１）通帳への記帳を伴う取引が選択されると、特典情報の印字対象の通帳であるときに、当該取引装置が特典情報の取得要求を行い、サーバから通帳記帳情報の応答と共に、特典情報を取得する通帳記帳情報取得手段と、（２）通帳記帳情報取得手段により取得された通帳記帳情報に基づいて、挿入されている通帳に印字を行う通帳記帳手段と、（３）通帳記帳手段により挿入されている通帳の記帳可能箇所が終了し、新規通帳へ通帳繰越を行う場合であって、特典情報の印字対象の通帳であるときに、通帳記帳手段に対して、サーバから通帳記帳情報と共に取得した特典情報を、繰越前の通帳に印字させる記帳制御手段とを備えることを特徴とする取引装置である。
【発明の効果】
【００１２】
本発明によれば、返却される通帳を有効に活用して、顧客が通帳を持って帰る頻度を向上させることができる。
【図面の簡単な説明】
【００１３】
【図１】実施形態の自動取引装置の内部構成を示す内部構成図である。
【図２】実施形態の金融取引システムの全体構成を示す全体構成図である。
【図３】実施形態の自動取引装置の外観構成を示す外観斜視図である。
【図４】実施形態のサーバの内部構成を示す内部構成図である。
【図５】実施形態の取引システムにおける処理の動作を示すシーケンス図である。
【図６】実施形態に係る抽選結果印字画面の画面構成を示す構成図である。
【図７】実施形態に係る通帳に抽出結果への印字を説明する説明図である。
【発明を実施するための形態】
【００１４】
（Ａ）主たる実施形態
以下では、本発明の取引装置の実施形態を、図面を参照しながら詳細に説明する。
【００１５】
この実施形態では、金融機関の金融取引システムと当該金融機関システムを構成する自動取引装置及びホストコンピュータサーバに、本発明を適用する場合を例示する。
【００１６】
（Ａ−１）実施形態の構成
（Ａ−１−１）全体構成
図２は、この実施形態の金融取引システムの全体構成を示す全体構成図である。図２に示すように、この実施形態の金融取引システム１０は、ネットワーク４に接続可能な、複数の自動取引装置１−１〜１−Ｎ（Ｎは正の整数）、サーバ２、管理端末３を有して構成される。
【００１７】
ネットワーク４は、金融取引に関するデータを通信することができる通信網である。ネットワーク４は、例えば専用網を適用することができる。また、ネットワーク４は、金融取引に関するデータを通信することができるのであれば公衆網としても良い。
【００１８】
自動取引装置１−ｎ（１≦ｎ≦Ｎ）は、例えば、金融機関、駅、コンビニエンスストア、ホテル等に設けられている現金自動預け払い装置（ＡＴＭ）である。自動取引装置１−ｎは、ネットワーク４を介して、ホストコンピュータとしてのサーバ２と通信可能である。自動取引装置１−ｎは、例えば、振り込み取引、預け入れ取引、引き出し取引、通帳記入取引等の各種金融取引を行なうものである。
【００１９】
また、自動取引装置１−ｎは、新規通帳を発行する際、それまでの既存の通帳に、サーバ２から取得した特典情報を通帳に印字して返却するものである。このように、重要な媒体である通帳に特典情報を印字することで、既存の通帳を持ち帰ってもらう確立が高くなることが期待できる。
【００２０】
ここで、特典情報は、通帳繰越のときに、それまで利用されていた既存の通帳に印字する情報である。特典情報は、例えば、くじによる抽選結果、キャンペーン情報、ガイダンス情報、クーポン情報、広告などが該当する。この実施形態では、特典情報がくじの抽選結果である場合を例示する。
【００２１】
サーバ２は、金融機関のホストコンピュータである。サーバ２は、自動取引装置１−ｎから記帳データ要求及び抽選要求を受けると所定の抽選処理を行い、記帳データ及び抽選結果を要求元の自動取引装置１−ｎに与えるものである。
【００２２】
また、サーバ２は、自動取引装置１−ｎから通帳に抽選結果を印字した旨を受けると、当該通帳に印字した抽選結果の履歴を記憶し、定期的に抽選結果を集計して、集計結果を管理端末３に与えるものである。例えば、サーバ２は、１日毎の抽選結果を集計して、バッチ処理により管理端末３に送信するようにしてもよい。
【００２３】
管理端末３は、サーバ２から抽選結果の集計結果を取得し、所定の集計票を出力するものである。これにより、１日毎の抽選結果の集計票を管理して打ち出すことができる。
【００２４】
（Ａ−１−２）自動取引装置について
図３は、この実施形態の自動取引装置１−ｎの外観構成を示す外観斜視図である。図３において、この実施形態の自動取引装置１−ｎは、印字ユニット１１、操作表示部１２、カード入出口１３、紙幣入出口１４、硬貨入出口１５、通帳入出口１６を有する。
【００２５】
印字ユニット１１は、自動取引装置１−ｎの内部に搭載されており、通帳入出口１６等から挿入された通帳に取引内容を印字する印字装置である。
【００２６】
操作表示部１２は、例えば、取引種類の選択メニュー画面、各取引の操作画面、取引内容の確認画面等を表示したり、顧客が入力した入力情報を取り込んだりするものである。操作表示部１２は、例えば、タッチパネル方式の操作表示部を適用することができる。なお、操作表示部１２は、操作部と表示部とが一体となったタッチパネル方式のものに限らず、操作部と表示部とがそれぞれ物理的に別の構成のものであってもよい。
【００２７】
カード入出口１３は、顧客がキャッシュカードを挿入したり又はキャッシュカードを取り出したりするものである。
【００２８】
紙幣入出口１４は、顧客が紙幣を挿入したり又は紙幣を取り出したりするものである。硬貨入出口１５は、顧客が硬貨を投入したり又は硬貨を取り出したりするものである。
【００２９】
通帳入出口１６は、顧客が通帳を挿入したり又は通帳を取り出したりするものである。
【００３０】
図１は、この実施形態の自動取引装置１−ｎの内部構成を示す内部構成図である。図１において、この実施形態の自動取引装置１−ｎは、制御部２１、記憶部２２、通信部２３、印字ユニット１１、通帳制御部２４、操作表示制御部２５、カード制御部２６、現金制御部２７を有する。
【００３１】
制御部２１は、自動取引装置１の全体機能を司るものである。例えば、制御部２１は、記憶部２２に格納される処理プログラムを実行することにより自動取引装置１の機能を実現するものである。
【００３２】
図１には、この実施形態の制御部２１が実行する主な機能部を示している。図１に示すように、制御部２１は、通帳情報取得部２１１、記帳データ要求部２１２、抽選結果取得部２１３、通帳繰越判断部２１４、通帳記帳部２１５、印字ページ確認部２１６、通帳発行部２１７を有する。
【００３３】
通帳情報取得部２１１は、通帳入出口１６から通帳が挿入されると、通帳制御部２４により読み取られる通帳情報を取得するものである。ここで、通帳情報は、金融機関名、支店名、口座番号等の通帳データなどの情報と、抽選の対象となる通帳か否かを示す情報も含まれる。例えば、口座を開設する際に又は口座開設後に、顧客との間で、通帳繰越時に抽選を行い、抽選結果を通帳に印字するとの契約を締結させた場合、抽選の対象となる通帳か否かを示す情報を有効とする。顧客との間で、上記契約を締結しなかった場合、抽選の対象となる通帳か否かを示す情報を無効とする。
【００３４】
記帳データ要求部２１２は、通信部２３を介して、通帳に記帳する記帳データをサーバ２に要求するものである。また、記帳データ要求部２１２は、抽選の対象となる通帳か否かを示す情報が有効の場合、記帳データ要求をサーバ２に行うと共に、サーバ２に対して抽選結果取得要求も行う。
【００３５】
抽選結果取得部２１３は、通信部２３を介して、サーバ２から抽選結果を取得し、取得した抽選結果を後述する通帳記帳部２１５に与えるものである。
【００３６】
通帳繰越判断部２１４は、通帳への記帳を行う際に、挿入された通帳の記入欄があるか否かを判断する。通帳繰越判断部２１４は、記入欄があるときには当該通帳への記帳を許容する。通帳繰越判断部２１４は、記入欄がないときには、通帳繰越をするものと判断する。
【００３７】
通帳記帳部２１５は、通帳繰越判断部２１４が通帳繰越を行わないと判断したときには、挿入されている通帳に対して記帳を行う。通帳記帳部２１５は、通帳繰越を行うと判断したときには、新規に発行された通帳に記帳するものである。
【００３８】
印字ページ確認部２１６は、既存の通帳に抽選結果を印字する際に、抽選結果を印字するページを確認するものである。例えば、通帳の抽選結果を印字するページには、予めバーコード等の一次元コードや二次元コード等が付されている。印字ページ確認部２１６は、コードリーダ等が読み取った一次元コードや二次元コード等の情報に基づいて、抽選結果を印字するページであることを確認する。
【００３９】
通帳発行部２１７は、通帳繰越を行うと判断したときには、新規に通帳を発行させるものである。例えば、印字ユニット１１が設けられている付近に新規通帳を収納する通帳収納部を有しており、通帳発行部２１７が通帳収納部に収納されている新規通帳を発行する。
【００４０】
記憶部２２は、制御部２１が実行する処理プログラム、操作表示部１２に表示させる画面情報等を記憶するものである。
【００４１】
通信部２３は、ネットワーク４を介して、ホストコンピュータとしてのサーバ２との間で取引情報や抽選に関する情報の送受信を行なうものである。
【００４２】
印字ユニット１１は、制御部２１の制御に基づいて、所定の印字情報を印字するものである。印字ユニット１１は、記帳データに基づいて通帳又は用紙等に記帳データを印字する。また、印字ユニット１１は、抽選結果のデータに基づいて抽選結果を通帳に印字する。
【００４３】
通帳制御部２４は制御部２１の制御の下、通帳入出口１６から通帳を取り込んだり又は排出したりするものである。また、通帳制御部２４は、通帳入出口１６から挿入された通帳の格納部（例えば、磁気データ格納部やＩＣチップ等）に格納されている通帳情報（例えば、磁気ストライプデータ）を読み取り、その通帳情報を制御部２１に与えるものである。
【００４４】
操作表示制御部２５は、制御部２１の制御の下、操作表示部１２の動作を制御するものである。操作表示制御部２５は、制御部２１から画面情報に基づいて、操作表示部１２に画面表示させる。また、操作表示制御部２５は、操作表示部１２から入力された情報を制御部２１に与えるものである。
【００４５】
カード制御部２６は、制御部２１の制御の下、カード入出口１３からキャッシュカードを取り込んだり又は排出したりするものである。また、カード制御部２６は、カード入出口１３から挿入されたキャッシュカードの格納部（例えば、磁気格納部やＩＣチップ等）に格納されているカード情報を読み取り、そのカード情報を制御部２１に与えるものである。
【００４６】
現金制御部２７は、制御部２１の制御の下、紙幣入出口１４や硬貨入出口１５の動作を制御するものである。また、現金制御部２７は、紙幣入出口１４、硬貨入出口１５から投入された金銭の金額を計上し、その金額を制御部２１に与える。また、現金制御部２７は、制御部２１の指示に従って、顧客に返金すべき金銭を紙幣入出口１４、硬貨入出口１５から排出する。
【００４７】
（Ａ−１−３）サーバについて
図４は、この実施形態のサーバ２の内部構成を示す内部構成図である。図４において、この実施形態のサーバ２は、制御部３１、記憶部３２、通信部３３、抽選結果履歴部３４、集計結果記憶部３５を有する。
【００４８】
制御部３１は、サーバ２の全体機能を司るものである。例えば、制御部３１は、記憶部３２に格納される処理プログラムを実行することによりサーバ２の機能を実現するものである。
【００４９】
図４には、この実施形態の制御部３１が実行する主な機能部を示している。図４に示すように、制御部３１は、取引情報取得部３１１、取引制御部３１２、くじ抽選処理部３１３、印字結果取得部３１４、抽選結果集計部３１５、集計結果通知部３１６を有する。
【００５０】
取引情報取得部３１１は、通信部３３を介して、自動取引装置１−ｎからの取引情報を取得するものである。また、取引情報取得部３１１は、自動取引装置１−ｎから記帳データ要求及び抽選を行うことの要求も取得する。
【００５１】
取引制御部３１２は、取引情報取得部３１１により取得された取引情報に基づいて取引管理を行うものである。取引制御部３１２は、例えば、取引種別が預け入れ取引の場合には、取引種別、取引日時情報、顧客の口座番号、入金金額等を対応付けて取引情報の管理を行う。
【００５２】
また、取引制御部３１２は、取引情報と共に記帳データ要求を取得すると、自動取引装置１−ｎに対して、当該取引に関する記帳データを要求元の自動取引装置１−ｎに応答する。さらに、取引制御部３１２は、取引情報と共に抽選結果取得要求を取得すると、くじ抽選処理部３１３に対して抽選を実行させ、くじ抽選処理部３１３から抽選結果を受け取り、抽選結果を要求元の自動取引装置１−ｎに応答する。
【００５３】
くじ抽選処理部３１３は、取引情報取得部３１１により抽選を行うことの要求を受けると、所定の抽選処理を行い、抽選結果を取引制御部３１２に与えるものである。
【００５４】
印字結果取得部３１４は、通信部３３を介して、自動取引装置１−ｎが記帳データに基づいて通帳に記帳した印字結果を取得するものである。また、印字結果取得部３１４は、自動取引装置１−ｎが通帳に抽選結果を印字した印字結果（例えば、抽選結果として当たり、はずれ等の情報を含む）も取得する。
【００５５】
抽選結果集計部３１５は、印字結果取得部３１４により取得される印字結果に基づいて、自動取引装置１−ｎが通帳に印字した抽選結果の履歴を抽選結果履歴部３４に記憶するものである。
【００５６】
集計結果通知部３１６は、抽選結果履歴部３４に記憶されている抽選結果の履歴に基づいて、所定の集計処理を行い、その集計結果を管理端末３に通知するものである。集計結果通知部３１６は、例えば、１日分等のように予め設定された期間の抽選結果を定期的に集計して、その集計結果を管理端末３に通知する。通知の方法は、特に限定されるものではないが、例えば予め設定された時刻に集計結果を一括通知するバッチ処理による通知とすることができる。
【００５７】
記憶部３２は、制御部３１が実行する処理プログラム等を記憶するものである。
【００５８】
通信部３３は、ネットワーク４を介して、自動取引装置１−ｎとの間で取引情報の送受信を行ったり、抽選に関する情報を送受信したりするものである。
【００５９】
（Ａ−２）実施形態の動作
次に、この実施形態の取引システム１０における処理の動作を、図面を参照しながら詳細に説明する。
【００６０】
図５は、この実施形態の取引システム１０における処理の動作を示すシーケンス図である。
【００６１】
図５において、顧客は自動取引装置１−ｎの操作表示部１２を操作して、通帳記帳を行う取引を選択する。このとき、自動取引装置１−ｎは通帳の挿入待ちの状態であり（Ｓ１０１）、顧客が持参した通帳を自動取引装置１の通帳入出口１６に通帳を挿入すると、自動取引装置１−ｎは、挿入された通帳を取り込む（Ｓ１０２）。
【００６２】
自動取引装置１において、通帳制御部２４は、挿入された通帳の磁気データ格納部等の格納部に格納されている通帳情報を読み取り、制御部２１に通帳情報を与える（Ｓ１０３）。
【００６３】
このとき、通帳情報としては、金融機関名、支店名、口座番号等の通帳データと、抽選の対象となる通帳か否かを示す情報とを含み、通帳制御部２４は、上記のような通帳データと共に、抽選の対象となる通帳か否かを示す情報も制御部２１に与える。
【００６４】
制御部２１では、操作表示部１２を通じて、顧客により入力された入力情報に基づいて、選択された取引種類の取引処理を行う。
【００６５】
そして、制御部２１は、通帳に記帳する記帳データの要求と、抽選の対象となる通帳である場合には抽選結果取得要求とを含む電文データを、ホストコンピュータとしてのサーバ２に対して行う（Ｓ１０４）。
【００６６】
サーバ２においては、制御部３１が記帳データ要求及び抽選結果取得要求を取得すると（Ｓ１０５）、制御部３１が所定のくじによる抽選を行う（Ｓ１０６）。そして、制御部３１は、記帳データ応答及び抽選結果応答を含む電文データを、要求元の自動取引装置１−ｎに返信する（Ｓ１０７）。
【００６７】
このように、あらかじめ抽選の対象となる通帳か否かを示す情報を通帳情報としておき、取引処理中に抽選を実行させることにより、取引処理の終了後に、改めて抽選を実行させる場合と比較して、顧客が自動取引装置１を用いて行なう取引時間の効率化を図ることができる。
【００６８】
自動取引装置１−ｎにおいて、制御部２１が記帳データ及び抽選結果を取得すると（Ｓ１０８）、印字ユニット１１は、制御部２１の指示を受けて、取引に関する未記帳データを通帳に印字する（Ｓ１０９）。
【００６９】
このとき、印字ユニット１１が挿入されている通帳に記帳可能なページがあるとするとき、制御部２１は通帳繰越ないと判断し（Ｓ１１０）、制御部２１は当該通帳の記帳可能なページに未記帳データに基づく印字を行う。つまり、未記帳データの印字ができるように、印字ユニット１１は、サーバ２からの応答電文データにより指定されたページまで自動的にめくり、未記帳データを通帳に印字する。そして処理はＳ１１６に移行する。
【００７０】
一方、印字ユニット１１が挿入されている通帳に記帳可能なページがないとするとき、制御部２１は通帳繰越あると判断し（Ｓ１１０）、制御部２１は、抽選の対象となる通帳であるか否かを判断する（Ｓ１１１）。
【００７１】
そして、挿入されている通帳が、抽選の対象となる通帳でないときには、処理をＳ１１６に移行し、抽選の対象となる通帳であるときには、処理Ｓ１１２に移行する。
【００７２】
Ｓ１１２では、制御部２１が、図６に例示する抽選結果印字画面５１を操作表示部１２に表示させ（Ｓ１１２）、顧客が図６の抽選結果印字画面５１の確認ボタン５２を選択すると、抽選結果の印字を実行する。
【００７３】
制御部２１は、抽選結果を印字するページを確認し（Ｓ１１３）、図７に示すように、通帳に抽選結果を印字する（Ｓ１１４）。
【００７４】
ここで、抽選結果を印字する箇所の確認方法としては、例えば、サーバ２からの応答電文データで指定されたページまで自動的に通帳をめくらせ、該当ページに抽選結果を印字するようにしてもよい。
【００７５】
また例えば、制御部２１がサーバ２からの応答電文データで指定されたページまで自動めくりをした後に、図７に示すように、予め該当ページに付与されている、抽選結果を印字するページであることを示す一次元コードや又は二次元コードを読み取ることで、抽選結果を印字するページであることを確認するようにしてもよい。
【００７６】
また、抽選結果を印字する箇所は、通帳において取引に関するデータが印字されていないページであれば、通帳のどの個所であってもよい。例えば、通帳の裏表紙、通帳の利用説明が記載されているページ、記帳欄の余白部分等とすることができる。また、可能であれば、通帳の表紙としてもよい。
【００７７】
そして、抽選結果が通帳に印字されると、制御部２１は、新規の通帳発行させる（Ｓ１１５）。ここで、新規通帳の発行は、抽選結果の印字後に行うことが望ましい。これは、通帳めくりミス等により、抽選結果を印字する対象ページでないページに抽選結果を印字することを防止するためである。
【００７８】
また、制御部２１は、抽選結果の印字中には、図６に示すような抽選結果印字画面を操作表示部１２に表示させる。これは、通帳に抽選結果を印字していることを顧客に意識させて、抽選結果の印字を顧客が見ることを促すためである。
【００７９】
記帳処理が終了すると（Ｓ１１６）、制御部２１は、挿入されている通帳、新規通帳を通帳入出口１６から排出させ、取引が終了すると、自動取引装置１が印字した印字結果（あたり、はずれの結果）をサーバ２に送信する（Ｓ１１７）。
【００８０】
サーバ２は、自動取引装置１−ｎから印字結果を受け取ると、印字結果のデータを履歴として抽選結果履歴部３４に記憶する（Ｓ１１８）。
【００８１】
そして、サーバ２は、抽選結果履歴部３４に記憶されている抽選結果の履歴に基づいて、例えば日次バッチ処理にて集計を行い、その集計結果を集計結果記憶部３５に格納する。そして、運用管理者は、管理端末３を操作して、集計結果記憶部３５に記憶している集計結果に基づいて、定期的に集計票を作成して出力する。
【００８２】
（Ａ−３）実施形態の効果
以上のように、この実施形態によれば、通帳繰越を行うときに、既存の通帳に抽選結果を印字することにより、重要な媒体である通帳を顧客が持ち帰る確率が向上するので、セキュリティが強化される。
【００８３】
また、従来、通帳ではなく、表示画面やレシート等に抽選結果を印字する技術はあるが、画面表示の場合、顧客が自動取引装置を利用する利用時間が長くなり、顧客の待ち時間が長期化してしまい、レシート等の紙に印字する場合、レシートは感熱紙となるため長期保管に向かない。
【００８４】
これに対して、この実施形態によれば、通帳は長期保管に向いているため、顧客はいつでも抽選結果を確認でき、顧客サービスを向上させることができる。
【００８５】
さらに、この実施形態によれば、記帳対象でないページへ抽選結果を印字できるので、通帳の使用効率を向上させることができる。
【００８６】
（Ｂ）他の実施形態
上述した実施形態においても、種々の変形実施形態を説明したが、その他にも以下に示すような変形実施形態を本発明に適用することができる。
【００８７】
（Ｂ−１）上述した実施形態では、ホストコンピュータとしてのサーバが、くじの抽選結果を特典情報として自動取引装置に送信する場合を例示した。しかし、特典情報は、くじの抽選結果に限定されるものではなく、くじの抽選結果に代えて又はくじの抽選結果に加えて、例えば、ＣＲＭ（Customer  Relationship  Management）のデータベースと連携し、顧客のターゲットを絞りこんだサービスの案内メッセージや、また例えば、銀行のＷｅｂサーバと連携してキャンペーン情報や広告、クーポンに関する情報とすることができる。
【００８８】
（Ｂ−２）上述した実施形態では、特典情報としての抽選結果を印字するページには、一次元コード、二次元コード等が付与されている場合を例示した。しかし、抽選結果を印字するページであることを確認することができれば、一次元コード、二次元コードに限定されず、例えば、数字、文字、記号等からなる文字列であってもよい。
【００８９】
（Ｂ−３）上述した実施形態では、自動取引装置がＡＴＭである場合を例示したが、少なくとも、通帳記帳することができる機器であれば、例えば、通帳記帳機、通帳発券機等にも適用することができる。
【符号の説明】
【００９０】
１０…取引システム、１−１、１−２、１−Ｎ…自動取引装置、２…サーバ、３…管理端末、４…ネットワーク、
２１…制御部、２２…記憶部、２３…通信部、２４…通帳制御部、１１…印字ユニット、１６…通帳入出口、
３１…制御部、３２…記憶部、３３…通信部、３４…抽選結果履歴部、３５…集計結果記憶部。
【図１】
0006261160.tif 000002
【図２】
0006261160.tif 000003
【図３】
0006261160.tif 000004
【図４】
0006261160.tif 000005
【図５】
0006261160.tif 000006
【図６】
0006261160.tif 000007
【図７】
0006261160.tif 000008